(57)【要約】      （修正有）【課題】使用者が必要な身体部位に応じて、身体部位へのサポーターの面積を調整可能なサポーター構造を提供する。【解決手段】身体部位へのサポーター構造は、第一本体１、第二本体２、ベルト体３からなり、第一本体１は第一接合表面１１を備え、第一本体１一端には第一接続部１２を設置し、第二本体２は第二接合表面２１を備え、第二本体２一端には第二接続部２２を設置し、第一接続部１２は第二接合表面２１に対応して連接し、第二接続部２２は第一接合表面１１に対応して連接し、ベルト体３両端には第一接合表面１１と第二接合表面２１をそれ連接する。【選択図】図３
0003166401.tif 000002
【実用新案登録請求の範囲】
【請求項１】
身体部位へのサポーター構造は、第一接合表面を備える第一本体、第二接合表面を備える第二本体、ベルト体からなり、
該第一本体一端には、第一接続部を設置し、
該第二本体一端には、第二接続部を設置し、
該第一接続部は、該第二接合表面に対応して連接し、該第二接続部は、該第一接合表面に対応して連接し、
該ベルト体には、該第一接合表面と該第二接合表面をそれぞれ連接する  ことを特徴とするサポーター構造。
【請求項２】
前記第一接続部は、該第一本体より延伸して凹字型を呈し、
該第二接続部は、該第二本体より延伸して凸字型を呈し、
該第一接続部と該第二接続部とは、対応して接続することを特徴とする請求項１に記載のサポーター構造。
【請求項３】
前記ベルト体は、２個の係合部品を備え、
一方の該係合部品には、結合部分を設置し、該第一接合表面に連接し、
もう一方の該係合部品には、結合部分を設置し、該第二接合表面に連接することを特徴とする請求項２に記載のサポーター構造。
【請求項４】
前記ベルト体はさらに、調整部品を備え、
該調整部品表面には、連接部分、及び該連接部分に対応する被連接部分を備え、
該調整部品一端は、該係合部品を通り、該調整部品は折り返し、これにより該連接部分と該被連接部分とは相互に接合することを特徴とする請求項３に記載のサポーター構造。
【請求項５】
前記結合部分は、面ファスナーで、該第一接合表面と該第二接合表面は、ループで、
該面ファスナーと該ループは相互に連接することを特徴とする請求項３に記載のサポーター構造。
【請求項６】
前記連接部分は、面ファスナーで、該被連接部分は、ループで、
該面ファスナーと該ループは相互に対応して連接することを特徴とする請求項４に記載のサポーター構造。
【請求項７】
前記第一接続部は、面ファスナーで、該第一接合表面は、ループで、
該面ファスナーと該ループは相互に連接することを特徴とする請求項１に記載のサポーター構造。
【請求項８】
前記第二接続部は、面ファスナーで、該第二接合表面は、ループで、
該面ファスナーと該ループは相互に連接することを特徴とする請求項１に記載のサポーター構造。
【請求項９】
前記サポーター構造はさらに、加温器を備え、
該第一本体内部には、容置空間を設置し、該加温器は、該容置空間に設置することを特徴とする請求項１に記載のサポーター構造。
【請求項１０】
前記サポーター構造はさらに、加温器を備え、
該第二本体内部には、收納空間を設置し、該加温器は、該收納空間に設置することを特徴とする請求項１に記載のサポーター構造。
【請求項１１】
サポーター構造は、第一接合表面を備える第一本体、２個のベルト体からなり、
該第一本体片側辺の両端から、接続部をそれぞれ延伸し、
該２個のベルト体の該各ベルト体一端は、該第一接合表面に連接し、反対端は、該接続部に連接することを特徴とする請求項１に記載のサポーター構造。
【請求項１２】
前記ベルト体は、係合部品を備え、
該係合部品には、結合部分を設置し、該第一接合表面に連接することを特徴とする請求項１１に記載のサポーター構造。
【請求項１３】
前記ベルト体はさらに、調整部品を備え、
該調整部品表面には、連接部分、及び該連接部分に対応する被連接部分を備え、
該調整部品一端は、該係合部品を通り、該調整部品は折り返し、
これにより、該連接部分と該被連接部分は相互に調整して接合し、しかも反対端は、該被連接部分で、該接続部に接合することを特徴とする請求項１２に記載のサポーター構造。
【請求項１４】
前記サポーター構造はさらに、加温器を備え、
該第一本体内部には、容置空間を設置し、該加温器は、該容置空間に設置することを特徴とする請求項１１に記載のサポーター構造。
【考案の詳細な説明】
【技術分野】
【０００１】
本考案は保健用具に関し、特に身体部位へのサポーター構造に関する。
【背景技術】
【０００２】
人体四肢の各動作は、骨格と骨格との間の関節により執行され、不当な、或いは過度の動作を行うと、関節は傷害を負い易い（捻挫或いは骨折など）。
そのため、適当なサポーターを選んで使用することで、スポーツ傷害発生の確率を下げ、また既に傷害が発生しているなら、サポーターを使用することで、傷の部位の二次傷害を防ぐことができる。
【０００３】
上記サポーターは、肢体に巻きつけて包み覆う方式により、人体の胴或いは肢体関節（腰部、肩部、膝部、肘部、腕部など）に対して、サポートと圧迫の効果を達成する。
こうして、筋肉と腱或いは靱帯を保護する。
また、既に傷ついた筋肉と腱或いは靱帯のリハビリについては、サポーターの使用は、人体の胴或いは肢体関節の活動範囲を制限し、既に傷ついた筋肉と腱或いは靱帯の回復を促進することができる。
【０００４】
一方、市販されているサポーターは、人体の胴或いは肢体関節に対応させるため、腰部、肩部、腿部、膝部、腕部など各部位に合わせて設計されている。
よって、それぞれ面積が異なり、つまり、人体各部位に使用する際に必要とするサポーターの面積は異なるのである。
しかし、これでは、消費者がサポーターを購入する際、使用する身体部位に応じて、異なる面積のサポーターを購入しなければならず、費用が拡大する他、資源の浪費であり、さらにはサポーターを收納するために多くのスペースを占拠してしまう。
【先行技術文献】
【特許文献】
【０００５】
【特許文献１】実用新案登録第３０６５８７５号公報
【考案の概要】
【考案が解決しようとする課題】
【０００６】
本考案は、従来の身体部位へのサポーター構造の上記した欠点に鑑みてなされたものであり、本考案が解決しようとする課題は、使用者が必要な身体部位に応じて、サポーターの面積を調整可能にするサポーター構造を提供することである。
【課題を解決するための手段】
【０００７】
上記課題を解決するため、本考案は下記のサポーター構造を提供する。
身体部位へのサポーター構造は、第一接合表面を備える第一本体、第二接合表面を備える第二本体、ベルト体からなり、該第一本体一端には、第一接続部を設置し、該第二本体一端には、第二接続部を設置し、
該第一接続部は、該第二接合表面に対応して連接し、該第二接続部は、該第一接合表面に対応して連接し、
該ベルト体両端には、該第一接合表面と該第二接合表面をそれぞれ連接し、
サポーター構造は、第一接合表面を備える第一本体、２個のベルト体からなり、
該第一本体片側辺の両端から接続部をそれぞれ延伸し、該２個のベルト体の該各ベルト体一端は、該第一接合表面に連接し、反対端は、該接続部に連接する。
【考案の効果】
【０００８】
本考案の身体部位へのサポーター構造によれば、第一本体と第二本体を相互に組合せることで、サポーターの長さを拡大し、これによりサポーターの使用面積を選択的に拡大でき、こうして腰部、肩部、大腿部など人体の面積が比較的大きい胴或いは肢体関節に適用させられる。さらに、容置空間及び收納空間には、加温器を増設でき、或いは自ら氷パッドを入れることができ、こうしてサポーターは、温湿布或いは冷湿布の機能を利用して、傷ついた筋肉と腱或いは靱帯がもたらす疼痛或いはタイトな不快感を和らげることができる。
【０００９】
また、第一本体を単独で使用する時には、このサポーター構造の使用面積は、膝部、肘部、腕部など人体面積が比較的小さい胴或いは肢体関節に適用される。第一本体のサポーター構造は、２個のベルト体を備えるため、両端の固定性を高めることができ、より優れたサポートと圧迫効果を提供することができる。こうして、筋肉と腱或いは靱帯への保護を強化し、人体の胴或いは肢体関節の活動範囲をよりしっかりと制限することができる。
【図面の簡単な説明】
【００１０】
【図１】本考案サポーター構造の分解立体図である。
【図２】本考案サポーター構造の別の実施例の立体模式図である。
【図３】本考案サポーター構造の組合せ立体図である。
【図４】本考案サポーター構造の使用状態模式図である。
【図５】本考案第一本体の組合せ立体図である。
【図６】本考案第一本体の使用状態模式図である。
【考案を実施するための形態】
【００１１】
以下に図面を参照しながら本考案を実施するための最良の形態について詳細に説明する。
【実施例】
【００１２】
図１、２に示すように、本考案サポーター構造は、第一本体１、第二本体２、ベルト体３からなる。
該第一本体１は、表面を備え、それは第一接合表面１１で、該第一本体１のもう一つの表面の一端には、第一接続部１２を設置し、及び内部には、容置空間１３を設置する。
該第一接続部１２は、該第一本体１より延伸し、これにより該第一本体１は凹字型を呈する。
【００１３】
前記第二本体２は、表面を備え、それは第二接合表面２１で、該第二本体２のもう一つの表面の一端には、第二接続部２２を設置し、及び内部には、收納空間２３を設置する。該第二接続部２２は、該第二本体２より延伸し、これにより該第二本体２は凸字型を呈する。
【００１４】
前記ベルト体３の両端には、該第一接合表面１１と該第二接合表面２１をそれぞれ連接し、該ベルト体３は、調整部品３１及び２個の係合部品３２、３２ａを備える。該係合部品３２には、結合部分３２１を設置し、該第一接合表面１１に連接し、もう一つの該係合部品３２ａには、結合部分３２１を設置し、該第二接合表面２１に連接する。
前記調整部品３１表面には、連接部分３１１、及び該連接部分３１１に対応する被連接部分３１２を備える。
【００１５】
本考案はさらに、加温器４ともう一つの加温器４ａを含む。
該加温器４は、該容置空間１３に設置し、該もう一つの加温器４ａは、該收納空間２３に設置する。
該加温器４、４ａの電源は、電池などのＤＣ電源、或いは外付けのＡＣ電源を利用することができる。
【００１６】
図３に示すように、本考案サポーター構造の組合せでは、面ファスナー（加圧式ファスナー、例えば、マジックテープ(登録商標)）である該第一接続部１２を利用し、ループである該第一接合表面１１に対応させ、相互に連接させる。
また、面ファスナーである該第二接続部２２を、ループである該第二接合表面２１に対応させ、相互に連接させる。
【００１７】
該結合部分３２１は、面ファスナーで、ループである該第一接合表面１１と該第二接合表面２１に対応させ、相互に連接させる。
さらに、該連接部分３１１は、面ファスナーで、ループである該被連接部分３１２に対応させ、連接する。上記した連接方式は、面ファスナーにより行うが、これに限定しない。
【００１８】
よって、該第一本体１と該第二本体２の相互連接において、該第一接続部１２と該第二接続部２２は相互に対応して交差する。
該第一接続部１２は、該第二接合表面２１及び該第二接続部２２第一接合表面１１に連接し、これにより該第一本体１と該第二本体２とは相互に組合される。
こうして、サポーターの長さを拡大し、サポーターは使用面積を選択的に拡大でき、こうして、人体の胴の任意の部分、或いは肢体関節に適用させることができる。
【００１９】
さらに、該ベルト体３の２個の係合部品３２により、該第一接合表面１１と該第二接合表面２１とをそれぞれ連接する。
その内、該調整部品３１一端は、該係合部品３２を通り、及び反対端は、もう一つの係合部品３２ａを通る。
【００２０】
また、該調整部品３１は、該２個の係合部品３２、３２ａにより折り返され、これにより該連接部分３１１と該被連接部分３１２とは、対応して粘着接合し、これにより該調整部品３１の長さを調整する。
こうして、サポーターは、人体の胴或いは肢体関節にぴったりと適合する。
この結果、該第一本体１、該第二本体２と該ベルト体３との対応は、人体の胴或いは肢体関節に対してサポートと圧迫の効果を提供し、こうして、筋肉と腱或いは靱帯を保護する。
【００２１】
該第一本体１と該第二本体２を相互に組合せ、サポーターの長さを拡大することで、本考案サポーター構造の使用状態である図４に示すように、サポーターの使用面積を、腰部、肩部、大腿部などの人体において面積が比較的大きい胴或いは肢体関節に適用させることができる。
【００２２】
図４に示すように、該第一本体１、該第二本体２と該ベルト体３を相互に組み合わせて形成したサポーターは、面積が比較的大きい大腿部１００に使用することができる。また、該容置空間１３及び該收納空間２３に、使用者は氷パッドなどを入れ、傷ついた胴或いは肢体関節に冷湿布を行うことができる。
しかも、該容置空間１３には、加温器４を設置し、該收納空間２３にも、加温器４ａを設置することができる。
【００２３】
これにより、傷ついた筋肉と腱或いは靱帯のリハビリについて、サポーターの使用は、人体の胴或いは肢体関節の活動範囲を制限し、傷ついた筋肉と腱或いは靱帯を迅速に回復させられるばかりか、温湿布の機能を利用して、傷ついた筋肉と腱或いは靱帯がもたらす疼痛或いはタイトな不快感を和らげることができる。
【００２４】
本考案第一本体１の組合せ立体図である図５に示すように、本考案のサポーター構造中の第一本体１は単独で使用することができる。
この別種のサポーター構造は、第一本体１と２個のベルト体３からなる。
【００２５】
該第一本体１は、表面である第一接合表面１１を備え、該第一本体１のもう一つの表面の片側両端から、接続部１４をそれぞれ延伸し、及び内部には、容置空間１３を設置する。該接続部１４により、該第一本体１は凹字型を呈する。該容置空間１３内には、加温器４を増設し、或いは自ら氷パッドを入れることができる。
こうして、サポーターは、温湿布或いは冷湿布の機能を利用して、傷ついた筋肉と腱或いは靱帯がもたらす疼痛或いはタイトな不快感を和らげることができる。
【００２６】
２個のベルト体３中の各ベルト体３の一端には、第一接合表面１１を連接し、及び反対端には、接続部１４を連接する。該ベルト体３は、調整部品３１及び係合部品３２を備える。
該係合部品３２には、結合部分３２１を設置し、第一接合表面１１に連接し、該調整部品３１表面には、連接部分３１１を備え、被連接部分３１２に対応する。
【００２７】
該調整部品３１一端は、該係合部品３２を通り、該調整部品３１を折り返し、これにより該連接部分３１１と該被連接部分３１２は、相互に調整接合され、しかも反対端は、該被連接部分３１２で、該接続部１４に接合する。
よって、組合せにおいて、該第一本体１の両端は、それぞれ該ベルト体３を備え固定される。
【００２８】
これにより、第一本体１を単独使用するサポーター構造は、２個のベルト体３を備えるため、固定性能が高まり、より優れたサポートと圧迫効果を提供することができる。
こうして、筋肉と腱或いは靱帯への保護を強化し、人体の胴或いは肢体関節の活動範囲をよりしっかりと制限する。
【００２９】
本考案第一本体１の使用状態模式図である図６に示すように、サポーター構造が、第一本体１とベルト体３だけを利用する時、このさらに別種のサポーター構造の使用面積は、膝部、肘部、腕部など人体の面積が比較的小さい胴或いは肢体関節に適用させることができる。
【００３０】
図６に示すように、該第一本体１と該ベルト体３相互に組み合わせて形成するサポーターは、面積が比較的小さい肘部２００に使用する。
また、容置空間１３に、使用者は氷パッドなどを入れ、傷ついた胴或いは肢体関節に冷湿布を行うことができる。
しかも、容置空間１３には、加温器４を設置することができ、傷ついた筋肉と腱或いは靱帯のリハビリにおいて、サポーターの使用は、人体の胴或いは肢体関節の活動範囲を制限し、傷ついた筋肉と腱或いは靱帯を迅速に回復させられるばかりか、温湿布の機能を利用して、傷ついた筋肉と腱或いは靱帯がもたらす疼痛或いはタイトな不快感を和らげることができる。
【００３１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３３】
１  第一本体
１１  第一接合表面
１２  第一接続部
１３  容置空間
１４  接続部
２  第二本体
２１  第二接合表面
２２  第二接続部
２３  收納空間
３  ベルト体
３１  調整部品
３１１  連接部分
３１２  被連接部分
３２、３２ａ  係合部品
３２１  結合部分
４、４ａ  加温器
１００  大腿部
２００  肘部
【図１】
0003166401.tif 000003
【図２】
0003166401.tif 000004
【図３】
0003166401.tif 000005
【図４】
0003166401.tif 000006
【図５】
0003166401.tif 000007
【図６】
0003166401.tif 000008